【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
パッケージおよびこのパッケージ内に収納されたレーザ光ビーム発生手段を有するレーザ光ビーム放射源であって、前記パッケージにレーザ光ビーム放射窓が設けられているレーザ光ビーム放射源と、
レーザ光ビームの中心部分を選択するダイヤフラムとを備えた、レーザ光ビームを放射する光学装置において、
前記パッケージが前記ダイヤフラムを備えていることを特徴とするレーザ光ビーム放射装置。
【請求項２】
請求項１において、前記放射源が半導体レーザダイオードを備えた、レーザ光ビーム放射装置。
【請求項３】
請求項１または２において、前記ダイヤフラムが前記レーザ光ビーム放射窓において前記パッケージに直接結合されている、レーザ光ビーム放射装置。
【請求項４】
請求項３において、前記ダイヤフラムが前記レーザ光ビーム放射窓内に直接収納されている、レーザ光ビーム放射装置。
【請求項５】
請求項１または２において、前記レーザ光ビーム放射窓はそれ自体が前記ダイヤフラムとなるように形付けられている、レーザ光ビーム放射装置。
【請求項６】
請求項１ないし５のいずれかにおいて、前記レーザ光ビーム放射窓のサイズが、前記レーザ光ビーム放射窓において得られるレーザ光ビームの横断面サイズよりも小さい、レーザ光ビーム放射装置。
【請求項７】
請求項６において、前記レーザ光ビーム放射窓が、所定の読取り方向に沿って２よりも小さいフレネル数を有する開口を画定する、レーザ光ビーム放射装置。
【請求項８】
請求項７において、前記開口が前記読取り方向に沿って１．２よりも小さいフレネル数を有する、レーザ光ビーム放射装置。
【請求項９】
請求項７または８において、前記開口が前記読取り方向に対して直角な方向に沿って２よりも小さいフレネル数を有する、レーザ光ビーム放射装置。
【請求項１０】
請求項１ないし９のいずれかにおいて、さらに、集束レンズを備えた、レーザ光ビーム放射装置。
【請求項１１】
請求項１０において、前記集束レンズが前記レーザ光ビーム放射窓において前記パッケージに直接結合されている、レーザ光ビーム放射装置。
【請求項１２】
請求項１１において、さらに、前記集束レンズと前記レーザ光ビーム放射窓の間に挿入された接着剤を備える、レーザ光ビーム放射装置。
【請求項１３】
請求項１１において、前記集束レンズが前記レーザ光ビーム放射窓内に収納され、前記レンズ自体が前記ダイヤフラムとなっている、レーザ光ビーム放射装置。
【請求項１４】
請求項１３において、前記集束レンズがフレネルレンズまたは回折レンズである、レーザ光ビーム放射装置。
【請求項１５】
請求項１ないし１４のいずれかにおいて、前記パッケージは長手方向軸Ｚに沿って延び、放射光ビームが前記長手方向軸Ｚに対してほぼ直角方向に伝播するように、前記放射源が前記パッケージ内に配置されている、レーザ光ビーム放射装置。
【請求項１６】
光学コードを照明するレーザ光ビーム放射装置と、
前記光学コードを少なくとも１回走査する走査手段と、
前記照明された光学コードによって拡散された光信号を集光し、これに比例する電気信号を発生する光検出手段と、
前記電気信号を合成して処理する処理手段とを備えた光学式読取装置において、
前記レーザ光ビーム放射装置が請求項１ないし１５のいずれかに記載のレーザ光ビーム放射装置であることを特徴とする光学式読取装置。
【請求項１７】
光ビーム発生手段を収納するキャビティと、前記光ビームを放射できる窓が設けられた壁とを備えた、光ビーム放射源を保護および／または絶縁するパッケージにおいて、
前記光ビームの中心部分を選択するダイヤフラムを備えたことを特徴とするパッケージ。
【請求項１８】
保護および／または絶縁するパッケージならびにこのパッケージの第１部分内に収納された光ビーム発生手段を有する光ビーム放射源であって、パッケージの前記第１部分に光ビーム放射窓が設けられている光ビーム放射源と、
前記放射源により照明された光学コードによって拡散された光信号を検出する受光手段とを備え、
前記受光手段が、前記第１部分から光学的に分離された前記パッケージの第２部分内に収納され、パッケージの前記第２部分に前記照明された光学コードによって拡散された光信号を集光する集光窓が設けられている光信号を放射および検出する光学装置において、
前記放射窓および集光窓が異なる平面に位置する第１壁および第２壁にそれぞれ形成されていることを特徴とする、光信号放射および検出装置。
【請求項１９】
請求項１８において、前記平面が互いに直交している光信号放射および検出装置。
【請求項２０】
請求項１８または１９において、前記放射源が半導体レーザダイオードを備えた光信号放射および検出装置。
【請求項２１】
請求項１８ないし２０のいずれかにおいて、さらに、光ビームの中心部分を選択する少なくとも１つのダイヤフラムを備えた光信号放射および検出装置。
【請求項２２】
請求項２１において、前記ダイヤフラムが前記光ビーム放射窓において前記パッケージに直接結合されている光信号放射および検出装置。
【請求項２３】
請求項２２において、前記ダイヤフラムが前記光ビーム放射窓内に直接収納されている光信号放射および検出装置。
【請求項２４】
請求項２２において、前記光ビーム放射窓はそれ自体が前記ダイヤフラムとなるように形付けられている光信号放射および検出装置。
【請求項２５】
請求項１８ないし２４のいずれかにおいて、前記光ビーム放射窓のサイズが、前記光ビーム放射窓位置において得られる光ビームの横断面サイズよりも小さい光信号放射および検出装置。
【請求項２６】
請求項２５において、前記光ビーム放射窓が、所定の読取り方向に沿って２よりも小さいフレネル数を有する開口を画定する光信号放射および検出装置。
【請求項２７】
請求項２６において、前記開口が前記読取り方向に沿って１．２よりも小さいフレネル数を有する光信号放射および検出装置。
【請求項２８】
請求項２６または２７において、前記開口が前記読取り方向に対する直角方向に沿って２よりも小さいフレネル数を有する光信号放射および検出装置。
【請求項２９】
請求項１８ないし２８のいずれかにおいて、さらに集束レンズを備えた光信号放射および検出装置。
【請求項３０】
請求項２９において、前記集束レンズが前記光ビーム放射窓において前記パッケージに直接結合されている光信号放射および検出装置。
【請求項３１】
請求項３０において、さらに、前記集束レンズと前記光ビーム放射窓の間に挿入された接着剤を備えた光信号放射および検出装置。
【請求項３２】
請求項３０において、前記集束レンズが前記光ビーム放射窓内に収納され、前記レンズ自体が前記ダイヤフラムとなっている光信号放射および検出装置。
【請求項３３】
請求項３２において、前記集束レンズがフレネルレンズまたは回折レンズである光信号放射および検出装置。
【請求項３４】
請求項１８ないし３３のいずれかにおいて、さらに、前記パッケージの前記第１部分と前記第２部分の間に配置された、光を通さない材料から作製された壁を備えた光信号放射および検出装置。
【請求項３５】
光学コードを照明する光ビーム放射装置と、
前記光学コードを走査する走査手段と、
前記照明された光学コードによって拡散された光信号を検出して、これに比例する電気信号を発生する検出装置と、
前記電気信号を合成処理する合成処理手段とを備えた光学式読取装置において、
前記光ビーム放射装置および前記検出装置が請求項１８ないし３４のいずれかに記載の単一の光信号放射および検出装置に組み込まれていることを特徴とする光学式読取装置。
【請求項３６】
光ビーム発生手段を収納する第１部分であって、前記光ビームを放射できる放射窓が設けられている第１部分と、
前記光ビーム発生手段によって照明された光学コードにより拡散された光信号を検出する受光手段を収納する第２部分であって、前記照明された光学コードにより拡散された光信号を集光する集光窓が設けられている第２部分とを備え
前記第２部分が、前記第１部分から光学的に分離されている光ビーム放射源を保護および／または絶縁するパッケージにおいて、
前記放射窓および集光窓が異なる平面に位置するパッケージの第１壁および第２壁にそれぞれ形成されていることを特徴とする、光ビーム放射源の保護および／または絶縁パッケージ。
【請求項３７】
請求項３６において、前記平面が互いに直交している、光ビーム放射源の保護および／または絶縁パッケージ。